(57)【要約】【課題】ガスバーナが点火中であるか否かをガスバーナの周囲の者が了知できる歯科用ガスバーナを提供する。【解決手段】フレーム筒８を覆うプロテクタ９を備えた歯科用ガスバーナ１である。プロテクタは、フレーム筒の上方に形成されたフレーム穴１１と、フレーム穴の周囲に設けられてガスバーナの点火時に点灯する光源１２と、フレーム穴の周囲に設けられると共に光源の点灯をガスバーナの周囲から視認させるガード部１６とを備える。光源がフレーム穴の周方向に沿って複数設けられることが好ましい。【選択図】図２
2015226665.tif 000002
【特許請求の範囲】
【請求項１】
フレーム筒を覆うプロテクタを備えた歯科用ガスバーナであって、
前記プロテクタは、前記フレーム筒の上方に形成されたフレーム穴と、該フレーム穴の周囲に設けられて前記ガスバーナの点火時に点灯する光源と、前記フレーム穴の周囲に設けられると共に前記光源の点灯を前記ガスバーナの周囲から視認させるガード部とを備えたことを特徴とする歯科用ガスバーナ。
【請求項２】
前記光源が、前記フレーム穴の周方向に沿って複数設けられることを特徴とする請求項１に記載の歯科用ガスバーナ。
【請求項３】
前記ガード部が、シリコーン製であることを特徴とする請求項１又は２に記載の歯科用ガスバーナ。
【発明の詳細な説明】
【技術分野】
【０００１】
本発明は、フレーム筒を覆うプロテクタを備えた歯科用ガスバーナに関する。
【背景技術】
【０００２】
歯科用ガスバーナは、例えば歯科用ワックスを軟化させる際などに使用され、例えば市販のガスボンベを装着したボンベボックスと共に持ち運び可能に構成されている。なお、歯科用ガスバーナには、歯科治療ユニットの例えばワークテーブルに設置できる構造も知られている。
【０００３】
ガスの燃焼で発生したフレーム（炎）は、プロテクタのフレーム穴から上方に向けて噴出するが、仮にフレームが消えると、ガスのみが放出し続けるおそれがある。そこで、例えば、特許文献１には、点火動作を間欠的に実行すると共に、ガスバーナが点火中であるか否かをパイロットランプの点灯や音声出力で知らせる技術が開示されている。
【先行技術文献】
【特許文献】
【０００４】
【特許文献１】特開平７−２７３２８号公報
【発明の概要】
【発明が解決しようとする課題】
【０００５】
しかしながら、特許文献１のパイロットランプは、フレーム穴の近傍に設けられており、ガスバーナの使用者には見えるが、ガスバーナの周囲の者には見え難い。また、音声出力もガスバーナの周囲の者には聞こえ難い。このため、特許文献１の技術ではガスバーナの周囲の者が、ガスバーナが点火中であるか否かを分かり難いという問題がある。
【０００６】
本発明は、上述のような実情に鑑みてなされたもので、ガスバーナが点火中であるか否かをガスバーナの周囲の者が了知できる歯科用ガスバーナを提供することを目的とする。
【課題を解決するための手段】
【０００７】
上記課題を解決するために、請求項１の発明は、フレーム筒を覆うプロテクタを備えた歯科用ガスバーナであって、前記プロテクタは、前記フレーム筒の上方に形成されたフレーム穴と、該フレーム穴の周囲に設けられて前記ガスバーナの点火時に点灯する光源と、前記フレーム穴の周囲に設けられると共に前記光源の点灯を前記ガスバーナの周囲から視認させるガード部とを備えたことを特徴としたものである。
【０００８】
請求項２の発明は、前記光源が、前記フレーム穴の周方向に沿って複数設けられることを特徴としたものである。また、請求項３の発明は、前記ガード部が、シリコーン製であることを特徴としたものである。
【発明の効果】
【０００９】
本発明によれば、光源の点灯状態はガード部を介してガスバーナの周囲から視認可能であるので、ガスバーナが点火中であるか否かをガスバーナの周囲の者に了知させることができる。
【図面の簡単な説明】
【００１０】
【図１】本発明の一形態に係る歯科用ガスバーナの外観斜視図である。
【図２】図１（Ｂ）に示した歯科用ガスバーナの分解斜視図である。
【図３】図１（Ｂ）のＩＩＩ−ＩＩＩ線の矢視断面図である。
【図４】図１の歯科用ガスバーナの使用例を説明するための図である。
【発明を実施するための形態】
【００１１】
以下、図面を参照しながら本発明の歯科用ガスバーナについて説明する。図１は、本発明の一形態に係る歯科用ガスバーナの外観斜視図であり、図１（Ａ）はカバーを開けた状態を示し、図１（Ｂ）はカバーを閉じた状態を示している。
歯科用ガスバーナ１は点火栓制御ボックス２を有し、点火栓制御ボックス２は、例えばガスコードを介してボンベボックス（いずれも図示省略）に接続可能である。
【００１２】
点火栓制御ボックス２は、例えば乾電池の電力でガスの噴射、ガスへの点火や警報音の吹鳴などを実行できる。点火栓制御ボックス２の上面には点火・消火用のスイッチ３が設けられ、また、図１（Ｂ）に示すように、点火栓制御ボックス２の正面には例えばタイマ設定用のツマミ４が設けられている。点火栓制御ボックス２の背面はカバー５で覆われ、カバー５の上にはプロテクタ（フレームガイドともいう）９が設置されている。
【００１３】
カバー５は点火栓制御ボックス２の例えば下端に回動自在に支持され、また、図１（Ａ）に示すように、カバー５の内部には、上下方向に沿って延びたバーナ支持管６や点火栓支柱７が収容されている。
バーナ支持管６の下方にはガス噴射用のノズル（図示省略）が設けられており、このノズルから噴射されたガスはバーナ支持管６の内部を経由してフレーム筒８に到達する。フレーム筒８は放電端子８ａを有し、放電端子８ａの上方にはフレーム（炎）を噴出させる開口が形成されている。
【００１４】
一方、点火栓支柱７の上端には点火栓７ａが設けられ、点火栓７ａと放電端子８ａとの間で火花放電が生ずると、フレーム筒８に到達したガスが点火されて燃焼する。発生したフレームは、フレーム筒８の開口、および、このフレーム筒８を覆うプロテクタ９のフレーム穴１１から上方に向けて噴出する。
【００１５】
図２は、図１（Ｂ）に示した歯科用ガスバーナの分解斜視図であり、図３は、図１（Ｂ）のＩＩＩ−ＩＩＩ線の矢視断面図である。
プロテクタ９は、平板状の作業部１０および平面視Ｕ字状のガード部１６からなる。作業部１０はカバー５の上方を覆っており、作業部１０を貫通した上記フレーム穴１１がその中央位置に形成されている。なお、プロテクタとカバーとを一体形成してもよい。
【００１６】
フレーム穴１１の周囲にはＬＥＤ光源１２が設置される。詳しくは、例えば５個のＬＥＤ光源１２が、フレーム穴１１を挟んで点火栓制御ボックス２の反対側（カバー５の背面に相当する）に設置され、フレーム穴１１の周方向に沿って例えば等間隔に設けられており、ガスバーナの点火中、より詳しくは、上記ガス噴射用のノズルからガスが噴射されている場合に点灯する。なお、ＬＥＤ光源１２が本発明の光源に相当する。
【００１７】
また、各ＬＥＤ光源１２の点灯状態はカバー５の背面から視認できるが、カバー５の左側面や右側面からも視認できるようにＬＥＤ光源をさらに配置すれば、ガスバーナが点火中であるか否かをあらゆる方向から認識可能になり、安全性がより一層向上する。
図３に示すように、ＬＥＤ光源１２はＬＥＤ基板１３に搭載され、作業部１０上に固定されている。ＬＥＤ基板１３は図１で説明した点火栓制御ボックス２内の回路に接続されている。
【００１８】
フレーム穴１１から見てＬＥＤ基板１３の手前側および奥側には、平面視Ｕ字状に湾曲した取付溝１４，１５がそれぞれ形成され、ガード部１６の下端を受け入れることができる。
ガード部１６は、平面視Ｕ字状に湾曲して形成され、点火栓制御ボックス２寄りを除く、カバー５の左右側面およびカバー５の背面の三方向を覆っている。
【００１９】
また、ガード部１６は、例えば、フレーム穴１１から見てＬＥＤ光源１２の手前側に位置する内壁体１７を有すると共に、ＬＥＤ光源１２の奥側に位置する外壁体１８を有し、内壁体１７の上端と外壁体１８の上端とが連結されている。
内壁体１７の下端を手前側の取付溝１４に差し込むと共に、外壁体１８の下端を奥側の取付溝１５に差し込むと、内壁体１７および取付溝１４が、外壁体１８および取付溝１５がそれぞれ係合し、ＬＥＤ光源１２を覆うガード部１６が作業部１０に固定される。
【００２０】
図４は、図１の歯科用ガスバーナの使用例を説明するための図である。
ガード部１６は、例えば透明度の高いシリコーンで形成した例を挙げて説明すると、図４に示すように、ガスバーナの点火中には図１（Ｂ）で説明したフレーム穴１１から噴出するフレームは見えないものの、ＬＥＤ光源１２が点灯しているので、各ＬＥＤ光源１２の光線が外壁体１８を通過してカバー５の背面から見ることができる。
【００２１】
このように、ＬＥＤ光源１２の点灯状態はガード部１６を介してガスバーナの周囲から視認可能であるので、ガスバーナが点火中であるか否かをガスバーナの周囲の者に了知させることができる。また、ガスバーナの周囲から視認可能にすれば、消し忘れ防止にもなる。さらに、ＬＥＤ光源１２を点灯させれば、医療機器という印象が薄くなって見た目に心地よさを与えることが可能になる。
【００２２】
また、シリコーン製のガード部は耐熱性を有し、かつ柔らかい構造になる。よって、仮にガスバーナの点火時にガード部１６に触れても安全であり、この点も安全性向上に寄与する。
なお、上記実施例では、透明のガード部の例を挙げて説明したが、ＬＥＤ光源１２を挟んで向かい合う内壁体１７の外面や外壁体１８の内面を凹凸状に形成してもよい。この場合には、ＬＥＤ光源の光線が内壁体と外壁体との間で乱反射し、ガード部全体が発光しているように見せることができるからである。
【００２３】
また、上記実施例では、内壁体および外壁体を有したガード部の例を挙げて説明したが、ガード部は内壁体あるいは外壁体のいずれか一方で形成することも可能である。
【符号の説明】
【００２４】
１…歯科用ガスバーナ、２…点火栓制御ボックス、３…スイッチ、４…ツマミ、５…カバー、６…バーナ支持管、７…点火栓支柱、７ａ…点火栓、８…フレーム筒、８ａ…放電端子、９…プロテクタ、１０…作業部、１１…フレーム穴、１２…ＬＥＤ光源、１３…ＬＥＤ基板、１４，１５…取付溝、１６…ガード部、１７…内壁体、１８…外壁体。
【図１】
2015226665.tif 000003
【図２】
2015226665.tif 000004
【図３】
2015226665.tif 000005
【図４】
2015226665.tif 000006